(57)【要約】【課題】着脱時の現像剤漏れ及び現像剤搬送経路内の圧力変動による現像剤漏れの両方に対応可能であって、もって装置本体内の汚損を低減できるカートリッジの提供。【解決手段】現像装置３０Ｙの現像剤受入口３０１の近傍に収容部３０２を設けた。収容部３０２は、収容容器３０４の外壁との間で空間３１０を形成する壁部３０２ａを有する。壁部３０２ａは、現像剤搬送経路の内圧が高くなった場合に生じる現像剤搬送経路の内から外への空気の流れを遮断し空間３１０側に向けるため、連結部１００から漏れた現像剤は装置本体内に広範囲に広がらずに収容部３０２に収容される。収容部３０２は、接続部３０１ａが現像剤補給口６２から分離する方向の上流側に少なくとも設けられ、現像装置３０Ｙの離間方向への移動の際に現像剤が漏れたとしても、漏れた現像剤を収容できる。このようにして、漏れた現像剤が拡散して装置本体内を汚損するのを低減することができる。【選択図】図６
2016109821.tif 000002
【特許請求の範囲】
【請求項１】
画像形成装置の装置本体の所定位置に装着及び離脱可能なカートリッジであって、
装着時に前記装置本体の現像剤が排出される排出部に接続され、離脱時に前記排出部から分離される接続部を有し、装着時には前記接続部を介して前記装置本体から現像剤を受け入れて収容可能な収容容器と、
前記接続部の少なくとも下方の一部を囲んで配置され、前記収容容器の外壁との間で前記接続部から漏れた現像剤を収容可能な空間を形成する収容部と、を備える、
ことを特徴とするカートリッジ。
【請求項２】
前記接続部は、離脱時に前記排出部に対して鉛直方向に交差する方向に移動して前記排出部から分離され、
前記収容部は、少なくとも前記排出部から前記接続部が分離する方向の前記接続部の上流側に設けられている、
ことを特徴とする請求項１に記載のカートリッジ。
【請求項３】
前記収容部は、前記排出部から前記接続部が分離する方向の下流側に設けられている、
ことを特徴とする請求項２に記載のカートリッジ。
【請求項４】
前記収容部は、前記収容容器の外壁に設けられた壁部を有し、前記外壁の一部と前記壁部との間で前記空間を形成する、
ことを特徴とする請求項２又は３に記載のカートリッジ。
【請求項５】
前記壁部は、前記接続部の上端よりも低い高さに形成され、
前記収容部は、前記空間を形成する前記外壁の一部と、該一部に対して前記接続部が分離する方向に位置する壁部の上端との間隔が、前記壁部の上端の高さと前記接続部の上端の高さの差分よりも大きい、
ことを特徴とする請求項４に記載のカートリッジ。
【請求項６】
前記収容部は、前記装置本体への挿抜方向から投影した前記収容容器の輪郭の範囲内に収まるように配置される、ことを特徴とする請求項１乃至５のいずれか１項に記載のカートリッジ。
【請求項７】
装置本体に設けられ、補給用の現像剤が排出される排出部を有する現像剤補給手段と、
前記装置本体の所定位置に装着及び離脱可能に設けられ、装着時に前記排出部に接続され、離脱時に前記排出部から分離される接続部を有し、装着時には前記接続部を介して前記現像剤補給手段から現像剤を受け入れて収容可能な収容容器と、前記収容容器内の現像剤を担持して搬送する現像剤担持体と、前記接続部の少なくとも下方の一部を囲んで配置され、前記収容容器の外壁との間で前記接続部から漏れた現像剤を収容可能な空間を形成する収容部と、を備えるカートリッジと、を備える、
ことを特徴とする画像形成装置。
【請求項８】
前記収容部は、前記収容容器の外壁に設けられた壁部を有し、前記外壁の一部と前記壁部との間で前記空間を形成する、
ことを特徴とする請求項７に記載の画像形成装置。
【請求項９】
前記現像剤補給手段に、前記カートリッジの装着方向の下流に向かうほど下方に移動可能に傾斜して設けられ、前記排出部に対し前記装着方向の下流側へ移動して前記排出部を開き、前記排出部に対し前記装着方向の上流側へ移動して前記排出部を閉じるシャッタ部材を備え、
前記シャッタ部材は、前記装着方向の下流側に前記接続部に係合する係合部を有し、
前記壁部は、装着時には前記係合部に当たらずに前記シャッタ部材の下方を通過し、離脱時には前記係合部に当たり前記シャッタ部材を前記排出部を閉じる位置に動作させる、
ことを特徴とする請求項８に記載の画像形成装置。
【請求項１０】
前記装置本体は、前記所定位置に挿入された前記カートリッジを、前記接続部が前記排出部に接続されまた前記接続部が前記排出部から分離される接離方向に移動する移動機構を有する、
ことを特徴とする請求項７乃至９のいずれか１項に記載の画像形成装置。
【発明の詳細な説明】
【技術分野】
【０００１】
本発明は、電子写真方式あるいは静電記録方式を採用した画像形成装置に着脱自在に取り付け可能なカートリッジ、及びこれを備える画像形成装置に関する。
【背景技術】
【０００２】
従来から、感光ドラムに形成された静電像を例えばトナーと磁性キャリアとを含む二成分現像剤（以下、単に現像剤と記す）を用いてトナー像に現像する現像装置と、前記現像装置に現像剤を補給するトナー補給装置を搭載した画像形成装置が知られている。画像形成装置では、現像剤が搬送される現像剤搬送経路内の圧力変動により、トナー補給装置と現像装置との間の連結部から現像剤が漏れないようにしたものが提案されている（特許文献１）。
【０００３】
また、画像形成装置には、中間転写ベルト等から除去された転写残トナーや現像装置で余剰となった余剰トナーなどの廃トナーを装置本体外に廃棄するために、廃トナーを収容する廃トナーボックスが装置本体内に交換可能に設けられている。廃トナーボックスは廃トナー搬送経路に着脱可能に接続され、廃トナーは廃トナー搬送経路を搬送されて廃トナーボックスへと排出される。この廃トナーボックスを装置本体から離脱させる際に、廃トナーボックスと廃トナー搬送経路との連結部の下方に受け皿を進出させて、この受け皿に連結部から漏れた廃トナーを受け止めさせるものが提案されている（特許文献２）。
【先行技術文献】
【特許文献】
【０００４】
【特許文献１】特開２００８−４６２３３号公報
【特許文献２】特開２０１３−１８２１３４号公報
【発明の概要】
【発明が解決しようとする課題】
【０００５】
ところで、画像形成装置では、例えば現像装置が単独でもしくは他の画像形成構成部（例えば感光ドラム等）と一体化された現像カートリッジなどとして、装置本体に着脱可能に構成される場合がある。現像カートリッジは装置本体に取り付けられると、現像カートリッジの現像剤受入口がトナー補給装置の現像剤補給口と連通するようにしてトナー補給装置に連結される。そして、現像カートリッジの挿抜動作に伴って現像剤補給口を開閉可能なシャッタがトナー補給装置に設けられている。しかしながら、現像カートリッジの着脱時には、現像剤補給口と現像剤受入口との連結部から現像剤が漏れることがあった。
【０００６】
そこで、現像カートリッジの場合にも、特許文献２に開示されているような受け皿を、現像剤補給口と現像剤受入口との連結部の下方に配置することが考えられる。しかし、実際にはスペースなどの観点から、連結部の下方に受け皿を配置するのが難しい。また、例え受け皿を連結部下方に配置することができたとしても、連結部から受け皿までの間隔が広く、連結部から漏れた現像剤が受け皿に到達するまでに装置本体内に拡散する可能性が高い。さらに、受け皿は常時に連結部の下方に位置しているわけではないので、現像剤搬送経路内の圧力変動による連結部からの現像剤漏れに対応できない。こうしたことは、現像カートリッジの場合に限らずに廃トナーボックスの場合にも同様に起こり得る。
【０００７】
このように、着脱時の現像剤漏れ及び現像剤搬送経路内の圧力変動による現像剤漏れの両方に対応可能であり、もって連結部から漏れた現像剤による装置本体内の汚損を低減し得るカートリッジは未だ提案されていない。
【０００８】
本発明は上記問題に鑑みてなされたもので、連結部から漏れ得る現像剤が拡散することによる装置本体内の汚損を低減することができるカートリッジ、及びそれを備えた画像形成装置の提供を目的とする。
【課題を解決するための手段】
【０００９】
本発明に係るカートリッジは、画像形成装置の装置本体の所定位置に装着及び離脱可能なカートリッジであって、装着時に前記装置本体の現像剤が排出される排出部に接続され、離脱時に前記排出部から分離される接続部を有し、装着時には前記接続部を介して前記装置本体から現像剤を受け入れて収容可能な収容容器と、前記接続部の少なくとも下方の一部を囲んで配置され、前記収容容器の外壁との間で前記接続部から漏れた現像剤を収容可能な空間を形成する収容部と、を備えることを特徴とする。
【００１０】
本発明に係る画像形成装置は、装置本体に設けられ、補給用の現像剤が排出される排出部を有する現像剤補給手段と、前記装置本体の所定位置に装着及び離脱可能に設けられ、装着時に前記排出部に接続され、離脱時に前記排出部から分離される接続部を有し、装着時には前記接続部を介して前記現像剤補給手段から現像剤を受け入れて収容可能な収容容器と、前記収容容器内の現像剤を担持して搬送する現像剤担持体と、前記接続部の少なくとも下方の一部を囲んで配置され、前記収容容器の外壁との間で前記接続部から漏れた現像剤を収容可能な空間を形成する収容部とを備えるカートリッジと、を備えることを特徴とする。
【発明の効果】
【００１１】
本発明によれば、排出部と接続部との間から現像剤が漏れたとしても、漏れた現像剤は接続部を囲んで配置された収容部に収容されるので、漏れた現像剤が拡散することによる装置本体内の汚損を低減することができる。
【図面の簡単な説明】
【００１２】
【図１】画像形成装置の構成を示す概略図。
【図２】トナー補給装置を示す斜視図。
【図３】画像形成部を示す斜視図。
【図４】画像形成部の一部を拡大して示す斜視図。
【図５】第１実施形態のカートリッジを示す斜視図。
【図６】収容部を説明する図であり、（ａ）はカートリッジが着状態である場合を示す断面図、（ｂ）は収容部の一部を拡大して示す模式図。
【図７】カートリッジが脱状態である場合を示す断面図。
【図８】カートリッジが着状態から脱状態への動作中である場合を示す断面図。
【図９】第２実施形態のカートリッジを示す断面図。
【図１０】第３実施形態のカートリッジを示す模式図。
【発明を実施するための形態】
【００１３】
以下、本発明の実施形態について説明する。まず、画像形成装置の概略構成について図１を用いて説明する。図１に示す画像形成装置１は、中間転写ベルト２４に沿って画像形成部ＵＹ、ＵＭ、ＵＣ、ＵＫを配列したタンデム型中間転写方式のフルカラープリンタである。
【００１４】
［画像形成部］
画像形成部ＵＹでは、感光ドラム２０Ｙにイエロートナー像が形成されて中間転写ベルト２４に転写される。画像形成部ＵＭでは、感光ドラム２０Ｍにマゼンタトナー像が形成されて中間転写ベルト２４に転写される。画像形成部ＵＣ、ＵＫでは、それぞれ感光ドラム２０Ｃ、２０Ｋにシアントナー像、ブラックトナー像が形成されて中間転写ベルト２４に転写される。中間転写ベルト２４に転写された四色のトナー像は二次転写部Ｔ２へ搬送され、用紙搬送経路６０上を搬送される記録材Ｐ（用紙、ＯＨＰシートなどのシート材など）へ一括二次転写される。
【００１５】
画像形成部ＵＹ、ＵＭ、ＵＣ、ＵＫは、現像装置３０Ｙ、３０Ｍ、３０Ｃ、３０Ｋで用いるトナーの色がイエロー、マゼンタ、シアン、ブラックと異なる以外は、ほぼ同一に構成される。そこで、以下では、代表としてイエローの画像形成部ＵＹについて説明し、その他の画像形成部ＵＭ、ＵＣ、ＵＫについては、説明中の符号末尾のＹを、Ｍ、Ｃ、Ｋに読み替えて説明されるものとする。
【００１６】
画像形成部ＵＹは、像担持体としての感光ドラム２０Ｙを囲んで、一次帯電器２１Ｙ、露光装置２２Ｙ、現像装置３０Ｙ、一次転写帯電器２３Ｙ、ドラムクリーニング装置２６Ｙを配置している。感光ドラム２０Ｙは、アルミニウム製シリンダの外周面に感光層が形成されており、所定のプロセススピードで矢印Ｒ１方向に回転する。
【００１７】
一次帯電器２１Ｙは例えばローラ状に形成された帯電ローラなどであり、帯電バイアス電圧が印加されて感光ドラム２０Ｙに接触することで、感光ドラム２０Ｙを一様な負極性の暗部電位に帯電させる。露光装置２２Ｙは、各色の分解色画像を展開した走査線画像データをＯＮ−ＯＦＦ変調したレーザービームをレーザー発光素子から発生し、これを回転ミラーで走査して帯電させた感光ドラム２０Ｙの表面に画像の静電像を書き込む。現像装置３０Ｙは、トナーを感光ドラム２０Ｙに供給して、静電像をトナー像に現像する。現像装置３０Ｙには現像剤補給装置としてのトナー補給装置５０Ｙが接続され、トナー補給装置５０Ｙからトナーとキャリアの両方を含む補給用現像剤が補給される。補給用現像剤は、トナーとキャリアを重量比で例えば９：１に混合したものが用いられる。
【００１８】
一次転写帯電器２３Ｙは、中間転写ベルト２４を挟んで感光ドラム２０Ｙに対向配置され、感光ドラム２０Ｙと中間転写ベルト２４との間にトナー像の一次転写部Ｔ１を形成する。一次転写部Ｔ１では、一次転写帯電器２３Ｙに転写バイアスが印加されることで、トナー像が感光ドラム２０Ｙから中間転写ベルト２４へ一次転写される。ドラムクリーニング装置２６Ｙは、感光ドラム２０Ｙにクリーニングブレードを摺擦して、一次転写後に感光ドラム２０Ｙ上に僅かに残る一次転写残トナーを回収する。
【００１９】
中間転写ベルト２４は、駆動ローラ４１、テンションローラ４２及び二次転写内ローラ２９等のローラに掛け渡して支持され、駆動ローラ４１に駆動されて図中矢印Ｒ２方向に回転する。二次転写部Ｔ２は、二次転写内ローラ２９に張架された中間転写ベルト２４に二次転写外ローラ２７を当接して形成される記録材Ｐへのトナー像転写ニップ部である。二次転写部Ｔ２では、二次転写外ローラ２７に二次転写バイアスが印加されることで、トナー像が中間転写ベルト２４から二次転写部Ｔ２に搬送される記録材Ｐへ二次転写される。二次転写後に中間転写ベルト２４に付着したまま残る二次転写残トナーは、ベルトクリーニング装置２８が中間転写ベルト２４を摺擦することにより回収される。
【００２０】
二次転写部Ｔ２によって四色のトナー像を二次転写された記録材Ｐは、定着装置２５へ搬送される。定着装置２５は、定着ローラ２５ａ、２５ｂが当接して定着ニップＴ３を形成し、定着ニップＴ３で記録材Ｐを搬送しつつ当該記録材Ｐにトナー像を定着する。定着装置２５では、内部からランプヒータ等（不図示）で加熱される定着ローラ２５ａに、付勢機構（不図示）によって定着ローラ２５ｂを圧接させて定着ニップＴ３を形成している。記録材Ｐが定着ニップＴ３で挟持搬送されることにより加熱／加圧されて、トナー像が記録材Ｐに定着される。定着装置２５によりトナー像の定着された記録材Ｐは、機体外へ排出される。
【００２１】
ドラムクリーニング装置２６Ｙにより除去された一次転写残トナーやベルトクリーニング装置２８により除去された二次転写残トナー（以下、便宜的に廃トナーと記す）は、搬送パイプ４３を通ってトナー回収容器４４に送られる。搬送パイプ４３の一端はドラムクリーニング装置２６Ｙ及びベルトクリーニング装置２８に繋がり、他端はトナー回収容器４４に繋がっている。トナー回収容器４４は、搬送パイプ４３に対して着脱可能に取り付けられている。なお、現像装置３０Ｙは画像形成によって劣化したトナーを現像容器（不図示）から強制的に排出することができるようにもなっている。そして、強制排出された劣化トナーは、上述した回収トナーと同様に、搬送パイプ４３を通じて搬送されてトナー回収容器４４内に回収される。
【００２２】
［トナー補給装置］
次に、トナー補給装置５０Ｙについて図２を用いて説明する。トナー補給装置５０Ｙは、現像装置３０Ｙの上方に配置されている。トナー補給装置５０Ｙは、現像剤収容部５２Ｙ、円筒状のトナーボトル５３Ｙ、第二現像剤収容部５４Ｙ、搬送パイプ部５６Ｙに大きく分けられる。トナーボトル５３Ｙはイエローのトナーを含む補給用現像剤を収容し、現像剤収容部５２Ｙに着脱可能に接続されている。トナーボトル５３Ｙが不図示の駆動手段により回転されると、補給用現像剤は現像剤収容部５２Ｙに排出される。
【００２３】
現像剤収容部５２Ｙでは、内装された排出スクリュー（不図示）によって補給用現像剤が現像剤収容部５２Ｙの一端部側から他端部側へと一方向に搬送される。現像剤収容部５２Ｙを一方向に搬送される補給用現像剤は、最終的に他端部に到達すると開口部（不図示）から搬送パイプ部５６Ｙに排出される。搬送パイプ部５６Ｙでは、内装されたスクリュー（不図示）によって補給用現像剤が第二現像剤収容部５４Ｙへと一方向に撹拌されながら搬送される。第二現像剤収容部５４Ｙは、その壁面の所定高さ位置に残量検知センサ（不図示）が配設されており、このセンサ位置まで補給用現像剤で満たすように現像剤収容部５２Ｙから搬送パイプ部５６Ｙを経て補給用現像剤が供給される。第二現像剤収容部５４Ｙは、供給された補給用現像剤を一時的に蓄える。第二現像剤収容部５４Ｙの下方には現像装置３０Ｙが連結されており、第二現像剤収容部５４Ｙは画像形成に伴うトナー消費に応じた補給量の補給用現像剤を現像装置３０Ｙに補給する。これにより、現像装置３０Ｙ内のトナーは一定量に保たれる。
【００２４】
一般的に、現像装置３０Ｙは画像形成部ＵＹの他の画像形成構成部（例えば感光ドラム等）に比して消耗が著しい。それ故に、現像装置３０Ｙは、現像カートリッジとして画像形成部ＵＹに着脱し得るようにユニット化されている。この場合、現像装置３０Ｙ（現像カートリッジ）は単体では動作せずに、装置本体としての画像形成部ＵＹに装着されて画像形成部ＵＹから駆動力の伝達や電力の供給等を受けることで動作する。そして、現像装置３０Ｙは画像形成部ＵＹに設けられたトナー補給装置５０Ｙに接続されることで、トナー補給装置５０Ｙからトナーの補給を受ける。
【００２５】
ところで、現像装置３０Ｙを画像形成部ＵＹに装着する装着時には、現像装置３０Ｙひいては現像スリーブ３１Ｙ（図１参照）を感光ドラム２０Ｙに近接させる必要がある。これは、画像形成時に安定した画像を得るため、感光ドラム２０Ｙと現像装置３０Ｙの現像スリーブ３１Ｙとの表面間を０．３〜０．５ミリ程度の間隔で安定的に維持する必要があるからである。他方、現像装置３０Ｙを画像形成部ＵＹから離脱させる離脱時には、現像装置３０Ｙひいては現像スリーブ３１Ｙを感光ドラム２０Ｙから離間させる必要がある。これは、現像スリーブ３１Ｙと感光ドラム２０Ｙとを近接させた状態のままで現像装置３０Ｙを離脱させると、現像剤担持体としての現像スリーブ３１Ｙや感光ドラム２０Ｙに傷がつくからである。そこで、現像装置３０Ｙは画像形成部ＵＹに着脱可能に構成されると共に、感光ドラム２０Ｙに対して接離可能に構成されている。即ち、本実施形態の現像装置３０Ｙは、２段階動作を経て画像形成部ＵＹに装着及び離脱可能になっている。以下、図３及び図４を用いて説明する。
【００２６】
図３に示すように、画像形成部ＵＹには所定位置に現像装置３０Ｙを挿入可能な空間が設けられており、現像装置３０Ｙはそこに挿入されることで画像形成部ＵＹの内部に一時的に保持される（第一段階動作）。画像形成部ＵＹには、操作レバー３１が設けられている。操作レバー３１は、画像形成部ＵＹに収納された現像装置３０Ｙを所定位置内で図中矢印Ｚ方向にスライド移動させる（第二段階動作）ための操作子である。
【００２７】
図４に示すように、画像形成部ＵＹは、現像装置３０Ｙが挿入される空間内の感光ドラム２０Ｙに対向する箇所に、操作レバー３１の操作に連動して動作する押付部材３２を備えている。移動機構としての押付部材３２は、操作レバー３１の図中矢印Ｘ方向（現像装置３０Ｙの挿抜方向）への動作に応じて図中矢印Ｚ方向（現像装置３０Ｙの接離方向）に動作することで、現像装置３０Ｙを感光ドラム２０Ｙに対して接離する。
【００２８】
現像装置３０Ｙを感光ドラム２０Ｙに近接させる場合、操作レバー３１が図４奥側に向かって押されると、押付部材３２は図４の左から右へと動作する。すると、画像形成部ＵＹに挿入されている現像装置３０Ｙは、押付部材３２によって保持されて感光ドラム２０Ｙ側へと押される。押付部材３２は、操作レバー３１の操作量にあわせて現像装置３０Ｙを感光ドラム２０Ｙに近接する。操作レバー３１が最奥まで押し込まれた場合に、押付部材３２は、感光ドラム２０Ｙと現像スリーブ３１Ｙ（図１参照）との表面間が適切な間隔（０．３〜０．５ミリ）になる位置で動作を停止する。そして、現像装置３０Ｙは感光ドラム２０Ｙに近接されると共に、トナー補給装置５０Ｙに接続される。
【００２９】
他方、現像装置３０Ｙを感光ドラム２０Ｙから離間させる場合、操作レバー３１が図４手前側に引かれると、押付部材３２は図４の右から左へ動作する。これにより、押付部材３２は、操作レバー３１の操作量にあわせて現像装置３０Ｙを感光ドラム２０Ｙから離間する。そして、現像装置３０Ｙは感光ドラム２０Ｙから離間されると共に、トナー補給装置５０Ｙから分離される。その後、現像装置３０Ｙは画像形成部ＵＹから抜き出される。このとき、現像装置３０Ｙは既に感光ドラム２０Ｙから離間されているので、抜き出すときに現像装置３０Ｙと感光ドラム２０Ｙとがぶつからないので、これらは傷つかない。このように、現像装置３０Ｙは第一方向としての挿抜方向に挿抜可能に、前記第一方向に交差する第二方向としての接離方向に接離可能に設けられ、両方向に適宜に移動されることによって画像形成部ＵＹに着脱される。なお、第１及び第２実施形態では、現像装置３０Ｙの接離方向が装着並びに離脱方向に相当する。
【００３０】
かかる構成の画像形成装置では、トナー補給装置５０Ｙと現像装置３０Ｙ間の現像剤搬送経路は、感光ドラム２０Ｙに対して現像装置３０Ｙが近接した状態（着状態とも呼ぶ）で連通が確保され、離間した状態（脱状態とも呼ぶ）で連通が分断される。ここでは、現像剤搬送経路の連通がトナー補給装置５０Ｙの現像剤補給口と現像装置３０Ｙの現像剤受入口との連結部１００（図２参照）で分断される。その場合、トナー補給装置５０Ｙの現像剤補給口から現像剤が漏れ得る。そこで、トナー補給装置５０Ｙの現像剤補給口から現像剤が漏れないように、現像装置３０Ｙの感光ドラム２０Ｙへの接離動作に応じて現像剤補給口６２を開閉するシャッタ部材５１がトナー補給装置５０Ｙに設けられている（後述する図６（ａ）参照）。後述するように、シャッタ部材５１は現像装置３０Ｙの動きに追従してトナー補給装置５０Ｙの現像剤補給口６２を閉じる位置と開放する位置との間でスライド移動可能に構成されている。
【００３１】
ところで、シャッタ部材５１は、耐久が進んでくると摺動部分に入り込んだ現像剤によって動きが渋くなる傾向がある。その場合、シャッタ部材５１は現像装置３０Ｙの動きに追従せず、シャッタ部材５１が閉まるまでに時間差が生じたり、あるいはシャッタ部材５１が閉じなくなったりすることがある。そうなると、排出部としてのトナー補給装置５０Ｙの現像剤補給口６２から現像剤が漏れて、漏れた現像剤が拡散して装置本体内を汚損する。
【００３２】
また、例え現像剤搬送経路の連通が分断されていなくとも、現像剤の補給に伴い現像剤搬送経路の内圧が大気圧よりも高くなることに応じて、連結部１００から現像剤が漏れることがあった。即ち、現像剤の搬送は閉空間である現像剤搬送経路内で行われる。それ故に、現像装置３０Ｙの現像剤受入口３０１に許容量を超える現像剤が搬送された場合や、現像装置３０Ｙの収容容器内の内圧が上がった場合に、現像剤搬送経路内の圧力が大気圧よりも高くなる。そうすると、単に接触しているに過ぎないトナー補給装置５０Ｙの現像剤補給口６２と現像装置３０Ｙの現像剤受入口３０１との連結部１００から、現像剤搬送経路の内から外への空気の流れに乗って現像剤が漏れやすい。漏れた現像剤は、そのまま空気の流れに乗って装置本体内に拡散するので、装置本体内を広範囲にわたって汚損し得る。
【００３３】
＜第１実施形態＞
そこで、第１実施形態の現像装置３０Ｙでは、受入部としての現像剤受入口３０１の近傍に収容部３０２を設けた。収容部３０２を設けた現像装置３０Ｙについて、図５乃至図８を用いて説明する。
【００３４】
図５及び図６（ａ）に示すように、収容部３０２は、現像剤を収容可能な収容容器３０４の内部に連通した現像剤受入口３０１の一部を囲むようにして、収容容器３０４の外壁に設けられている。即ち、収容部３０２は、収容容器３０４の外壁に設けられた壁部３０２ａを有する。壁部３０２ａは、収容容器３０４の側面外壁からトナー補給装置５０Ｙ側に向けて立設されている。壁部３０２ａは、収容容器３０４の外壁の一部と壁部３０２ａとの間で空間３１０を形成するように、現像装置３０Ｙの挿抜方向及び現像装置３０Ｙの接離方向の両面を囲むようにして設けられている。
【００３５】
図６（ａ）に示すように、壁部３０２ａは現像剤受入口３０１の接続部３０１ａの上端よりも低い高さに形成されている。具体的には、接続部３０１ａの上端面つまりは連結部１００の延長線上の高さＳまで、壁部３０２ａは形成されている。これは、現像装置３０Ｙが接離方向に移動するときに、壁部３０２ａがシャッタ部材５１に当たって現像装置３０Ｙの移動を阻害させないためである。壁部３０２ａがシャッタ部材５１に当たらない限りであれば、接続部３０１ａの上端面つまりは連結部１００の延長線上の高さＳよりも高く、壁部３０２ａを形成してよい。壁部３０２ａは高いほど、連結部１００から漏れる現像剤が壁部３０２ａに当たって空間３１０内に収容されやすく、漏れた現像剤は装置本体内に拡散し難くなる。
【００３６】
図６（ｂ）に示すように、収容部３０２は、空間３１０を形成する収容容器３０４の外壁３０４ａと壁部３０２ａとの間隔（図中Ｌ）が、壁部３０２ａの高さと接続部３０１ａの高さ位置の差分（図中Ｍ）よりも大きくなるように形成される。上述のように、壁部３０２ａは高いほどよいが、スペース等の都合上、壁部３０２ａの高さを抑えなければならない場合がある。その場合、高さが低ければ低いほど壁部３０２ａを収容容器３０４の外壁３０４ａから離す必要があることを意味する。即ち、壁部３０２ａの高さが低いと、連結部１００から漏れた現像剤は壁部３０２ａに当たらず装置本体内に広く拡散し得る。そこで、壁部３０２ａの高さが低い場合には、収容容器３０４の外壁３０４ａとの間隔を広くとることによって、漏れた現像剤が拡散したとしても、その範囲は空間３１０内に収まり、漏れた現像剤が装置本体内に広く拡散しないからである。ただし、図６（ａ）に示すように、収容部３０２は現像装置３０Ｙの挿入方向から投影した収容容器３０４の輪郭の範囲内（図中の最大幅Ｎ参照）に収まるように、壁部３０２ａと収容容器３０４の外壁３０４ａとの間隔が調整されるとよい。
【００３７】
こうした壁部３０２ａは、例えば現像剤搬送経路の内圧が高くなった場合に生じる現像剤搬送経路の内から外への空気の流れを遮断し空間３１０側に向ける。そのため、例え空気の流れに乗って連結部１００から現像剤が漏れたとしても、漏れた現像剤は装置本体内に広範囲に広がらずに空間３１０に落ち、その結果、収容部３０２に収容される。
【００３８】
図６（ａ）及び図７に示すように、トナー補給装置５０Ｙの現像剤補給口６２にはシャッタ部材５１が設けられている。シャッタ部材５１はバネ部６１に接続されて、現像装置３０Ｙの接離方向への移動に伴って現像剤補給口６２を閉じる位置と開放する位置との間でスライド移動可能に設けられている。シャッタ部材５１は、現像剤補給口６２を閉じる方向の移動力をバネ部６１によって常時付勢されている。また、シャッタ部材５１は、現像装置３０Ｙの装着方向の下流側に接続部３０１ａに係合する係合部５１ａを有している。
【００３９】
現像装置３０Ｙの感光ドラム２０Ｙに接近する向きへの移動時には、接続部３０１ａが係合部５１ａに係合し、シャッタ部材５１は現像装置３０Ｙに押されバネ部６１の付勢力に抗して現像剤補給口６２を開放する開位置に移動する。この場合、壁部３０２ａは、係合部５１ａに当たらずにシャッタ部材５１の下方を通過する。他方、図７に示すように、現像装置３０Ｙの感光ドラム２０Ｙから離間する向きへの移動時には、シャッタ部材５１はバネ部６１によって現像装置３０Ｙの移動に追従して現像剤補給口６２を閉じる閉位置に移動する。
【００４０】
本実施形態において、トナー補給装置５０Ｙの現像剤補給口６２は、感光ドラム２０Ｙに近い側が遠い側に比べて現像装置３０Ｙ側に下がるようにして、現像装置３０Ｙの接離方向に対して傾斜した形状に形成されている。そのため、シャッタ部材５１は、現像装置３０Ｙの接離方向に対して略水平ではなく斜め方向にスライド移動する。言い換えれば、シャッタ部材５１は、トナー補給装置５０Ｙに、現像装置３０Ｙの着脱に応じて装着方向の下流に向かうほど下方に移動可能に傾斜して設けられている。この場合、現像装置３０Ｙが感光ドラム２０Ｙに接近する向きに移動されるときには、現像剤受入口３０１の接続部３０１ａの端面の全面にわたって接触した状態を維持したまま、シャッタ部材５１は現像剤補給口６２を閉じる位置へと移動される。他方、現像装置３０Ｙが感光ドラム２０Ｙから離間する向きに移動されるときには、シャッタ部材５１が現像剤補給口６２を閉じる位置に到達する前に、現像剤受入口３０１の接続部３０１ａの上端面がシャッタ部材５１から離れることがある。その場合、現像剤補給口６２から現像剤が漏れる。
【００４１】
そこで、収容部３０２は、接続部３０１ａが現像剤補給口６２から分離する方向（鉛直方向に交差する方向）の上流側に少なくとも設けられている。言い換えれば、収容部３０２は、現像装置３０Ｙを感光ドラム２０Ｙから離間する向きに移動した場合に、現像装置３０Ｙの離間方向の上流側つまりは現像剤補給口６２の下方を通る側に設けられる。また、図５に示すように、収容部３０２は現像装置３０Ｙの接離方向に交差する方向（現像装置３０Ｙの挿抜方向）の長さ、ここでは現像スリーブ３１Ｙの回転軸線方向の長さを大きく確保されている。これにより、収容部３０２は、現像装置３０Ｙの離間方向への移動の際に現像剤が漏れたとしても、漏れた現像剤を収容できる。
【００４２】
ところで、通常、現像装置３０Ｙが着状態から脱状態へ移動すれば、図７に示すように、シャッタ部材５１は現像装置３０Ｙの動きに追従してトナー補給装置５０Ｙの現像剤補給口６２を閉じる。しかしながら、既に述べたように、シャッタ部材５１は、耐久が進んでくると現像剤補給口６２との摺動面に入り込んだ現像剤によって動きが渋くなる。その場合、図８に示すように、現像装置３０Ｙが着状態から脱状態へ移動したとしても、シャッタ部材５１が現像装置３０Ｙの動きに追従せず、シャッタ部材５１が動き出すまでに時間差が生じたりあるいはシャッタ部材５１が閉じなくなったりし得る。そうなると、トナー補給装置５０Ｙの現像剤補給口６２から現像剤が漏れる。そこで、この点を解決するために、収容部３０２の壁部３０２ａには、現像剤受入口３０１側に向けて突出した突出部３０３が設けられている。
【００４３】
図８に示すように、突出部３０３は、現像装置３０Ｙが着状態から脱状態へ移動するときに、現像装置３０Ｙの動きに追従せずに現像剤補給口６２を開放する位置に残ったままのシャッタ部材５１の閉動作を補助する。具体的には、突出部３０３がシャッタ部材５１の側面に当たり、シャッタ部材５１をシャッタ閉方向に押す。即ち、壁部３０２ａは、係合部５１ａに当たってシャッタ部材５１を現像剤補給口６２を閉じる位置に動作させる、すると、これを契機に、シャッタ部材５１は現像剤補給口６２を閉じる位置まで移動する。このように、突出部３０３がシャッタ部材５１の閉動作を補助することにより、シャッタ部材５１が閉まらないことを原因とする現像剤漏れを生じさせないようにしている。
【００４４】
以上のように、現像装置３０Ｙの現像剤受入口３０１の近傍に収容部３０２を設けた。収容部３０２は、収容容器３０４の外壁との間で空間３１０を形成する壁部３０２ａを有する。壁部３０２ａは、現像剤搬送経路の内圧が高くなった場合に生じる現像剤搬送経路の内から外への空気の流れを遮断し空間３１０側に向ける。そのため、この場合に連結部１００から漏れた現像剤は装置本体内に広範囲に広がらずに、収容部３０２に収容される。また、収容部３０２は、接続部３０１ａが現像剤補給口６２から分離する方向の上流側に少なくとも設けられる。さらに、現像装置３０Ｙの接離方向に交差する方向（現像装置３０Ｙの挿抜方向）の長さが大きく確保されている。これにより、収容部３０２は、現像装置３０Ｙの離間方向への移動の際に現像剤が漏れたとしても、漏れた現像剤を収容できる。このように、本現像装置３０Ｙでは、着脱時の現像剤漏れ及び現像剤搬送経路内の圧力変動による現像剤漏れの両方に対応し、連結部から漏れた現像剤による装置本体内の汚損を低減することができる。
【００４５】
＜第２実施形態＞
上述のように、現像剤搬送経路の内圧が大気圧よりも高くなることに応じて連結部１００（図２参照）から現像剤が漏れることがあり、こうした現像剤漏れに対しても収容部３０２は有効に機能することは既に説明したとおりである。ただし、連結部１００からの現像剤漏れは連結部１００の特定の一部箇所から生じることに限らず、連結部１００の全周にわたって全方位に向けて生じることもあり得る。そこで、図９に示すように、現像剤受入口３０１を挟んで収容部３０２の反対側にも収容部３０５を設け、現像剤受入口３０１の全周を囲むようにするとよい。
【００４６】
収容部３０５は、収容部３０２とは反対側つまりは接続部３０１ａが現像剤補給口６２から分離する方向の下流側に、現像剤受入口３０１の一部を囲むようにして収容容器３０４の外壁に設けられている。収容部３０５は、収容容器３０４の外壁に設けられた壁部３０５ａを有する。壁部３０５ａは、収容容器３０４の側面外壁からトナー補給装置５０Ｙ側に向けて立設されている。壁部３０５ａは、収容容器３０４の外壁の一部と壁部３０５ａとの間で空間３５０を形成する。この空間３５０は、空間３１０と繋がっている。壁部３０５ａは壁部３０２ａと異なり、現像装置３０Ｙが接離方向に移動するときにシャッタ部材５１に当たることがない。そのため、壁部３０５ａは接続部３０１ａの上端面つまりは連結部１００の延長線上の高さＳ（図６（ａ）参照）よりも高く形成されてよい。また、壁部３０５ａには突出部３０３が設けられていない。その他の点について、収容部３０５は収容部３０２と同様の構成であってよいことから、ここでの説明を省略する。
【００４７】
＜第３実施形態＞
また、中間転写ベルト等から除去された転写残トナーや、現像装置で余剰となった余剰トナーなどの廃トナーを装置本体外に廃棄するために、装置本体に着脱可能なトナー回収容器に収容部を設けてもよい。ここで、トナー回収容器４４に収容部を設けた場合を図１０に示す。なお、第３実施形態では、トナー回収容器４４の挿抜方向が装着並びに離脱方向に相当する。
【００４８】
トナー回収容器４４は、例えば軟質プラスチック等の樹脂を用いて図示のような長方体形状に形成され、内部は空洞になっている。トナー回収容器４４は開口した廃トナー受入口３０７を有し、廃トナー受入口３０７は内部の空洞に連通している。受入部としての廃トナー受入口３０７は、トナー回収容器４４が装置本体内に装着された場合に、廃トナーが排出される側の搬送パイプ４３（図１参照）の開口端部に接続される。搬送パイプ４３の開口端部には、トナー回収容器４４の挿抜動作に連動して開閉されるシャッタ部材（不図示）が設けられている。トナー回収容器４４が装置本体に装着された装着時には、シャッタ部材が開口端部を開状態にするので、搬送パイプ４３を通じて搬送された廃トナーがトナー回収容器４４に排出される。他方、トナー回収容器４４が装置本体から離脱された離脱時には、シャッタ部材が開口端部を閉状態にするので、搬送パイプ４３を通じて搬送された廃トナーがトナー回収容器４４に排出されることなく、また装置本体内に漏れない。
【００４９】
図１０に示すように、トナー回収容器４４には、収容部３０８が廃トナー受入口３０７の近傍に設けられる。収容部３０８は、廃トナー受入口３０７の周囲を囲む枠形状に、つまりは廃トナー受入口３０７の全周にわたって設けられる。この場合、廃トナー受入口３０７の外周面と収容部３０８との間に形成される空間３１０Ａに、排出部としての搬送パイプ４３の開口端部と、接続部としての廃トナー受入口３０７の上端部との連結部から漏れた廃トナーが収容される。これにより、連結部から漏れた廃トナーによる装置本体内の汚損を低減し得る。また、トナー回収容器４４の交換と同時に漏れた廃トナーを処理することができるので、従来の受け皿を用いる場合に比べて便利である。
【００５０】
＜他の実施形態＞
なお、上述した第１実施形態では、現像装置３０Ｙに収容部３０２、３０５を設けた場合を説明したが、これに限らない。例えば現像装置３０Ｙが他の画像形成構成部（例えば感光ドラムなど）と一体的にユニット化されたプロセスカートリッジに、収容部３０２や収容部３０５などを設けたものであってもよい。
【符号の説明】
【００５１】
３０Ｙ〜３０Ｋ…カートリッジ（現像装置）、３１Ｙ〜３１Ｋ…現像剤担持体（現像スリーブ）、３２…移動機構（押付部材）、５０Ｙ〜５０Ｋ…現像剤補給手段（トナー補給装置）、ＵＹ〜ＵＫ…装置本体（画像形成部）、４４…カートリッジ（トナー回収容器）、５１…シャッタ部材、５１ａ…係合部、６２…排出部（現像剤補給口）、３０１ａ…接続部、３０１…受入部（現像剤受入口）、３０２（３０５、３０８）…収容部、３０２ａ（３０５ａ）…壁部、３０３…突出部、３０４…収容容器、３０４ａ…外壁、３０７…受入部（廃トナー受入口）、３１０（３１０Ａ）…空間
【図１】
2016109821.tif 000003
【図２】
2016109821.tif 000004
【図３】
2016109821.tif 000005
【図４】
2016109821.tif 000006
【図５】
2016109821.tif 000007
【図６】
2016109821.tif 000008
【図７】
2016109821.tif 000009
【図８】
2016109821.tif 000010
【図９】
2016109821.tif 000011
【図１０】
2016109821.tif 000012